(57)【要約】【課題】  種々の気象条件によっても安定した防曇機能を発揮させることができる廉価な防曇機能を備えたミラーを提供する。【解決手段】  凸面鏡板２と、この凸面鏡板２を取り付ける取付板３と、凸面鏡板２の背面と取付板３の間の空間に配設される水８を封入した可撓性の区画袋７と、この区画袋７と凸面鏡板２の間に配設された第１のエアーマット１０と、区画袋７と取付板２の間に配設された第２のエアーマット１２とを備え、区画袋７は複数の袋に分割されて上下方向に配列されると共に、各袋には各々水８が封入される。複数の袋は、凸面鏡板２の上下方向の中央に位置する袋に封入する水８の量を多くして最も厚くなるように形成し、この中央位置の袋から上端及び下端方向に向かう各袋に封入する水の量を漸次少なくして漸次薄くなるように形成し、これら複数の袋の配列によって形成される上下方向の曲率を凸面鏡板２の曲率に近似させる。【選択図】図２
2012144961.tif 000002
【特許請求の範囲】
【請求項１】
金属製の凸面鏡板と、この凸面鏡板を取り付ける取付板と、前記凸面鏡板の背面と前記取付板の間の空間に配設される水を封入した可撓性を有する区画袋と、この区画袋と前記凸面鏡板の間に配設された第１のエアーマットと、前記区画袋と前記取付板の間に配設された第２のエアーマットとを備え、前記区画袋は複数の袋に分割されて上下方向に配列されると共に、各袋には各々水が封入されたミラーであって、
上下方向に配列された複数の前記袋は、前記凸面鏡板の上下方向の中央に位置する袋に封入する水の量を多くして最も厚くなるように形成し、この中央位置の袋から上端及び下端方向に向かう各袋に封入する水の量を漸次少なく漸次薄くなるように形成して、これら複数の前記袋の配列によって形成される上下方向の曲率を前記凸面鏡板の曲率に近似させたことを特徴とする防曇機能を備えたミラー。
【請求項２】
前記各区画袋に封入される水の量は、当該各区画袋に封入可能な最大水量の半分以下である請求項１に記載の防曇機能を備えたミラー。
【請求項３】
前記区画袋と前記取付板の間には、前記区画袋によって形成される外形輪郭の上下方向の幅よりも左右方向の幅を小さくした断熱材を配置して、前記区画袋に封入された中央位置の水を左右方向に移動させる請求項１に記載の防曇機能を備えたミラー。
【発明の詳細な説明】
【技術分野】
【０００１】  本発明は、屋外に設置されているカーブミラー、或いは、自動車等のバックミラーなどのミラーに関し、特に防曇機能を備えているミラーに関する。
【背景技術】
【０００２】  見通しの悪い道路などに設置されているカーブミラーなどのように屋外に設置されているミラーでは、気象条件により鏡面に結露が生じて曇ることがある。鏡面が曇ると視認性が悪くなり、カーブミラーなどの場合には交通障害が発生するので危険である。【０００３】  鏡面の防曇機構としては、凸面鏡板と取付板の間の空間に、ヒータおよびヒータの熱を蓄えるゲル状蓄熱剤を袋に封入して配置し、鏡面の表面温度を外気温度よりも高く維持するものが実用化されている。しかし、この防曇機能を備えたカーブミラーでは、ヒータに電気を供給するためのソーラーシステムなどを別途、設ける必要があり、その分、コストが高いという問題がある。【０００４】  そこで、本出願人は、廉価な防曇機能を備えたミラーを提供することを目的に、特許第４１５７８６７号公報（特許文献１）において、凸面鏡板と、この凸面鏡板を取り付ける取付板との間の空間に、水を封入した可撓性の袋を配設することを提案した。この結果、可撓性の袋に封入した水の熱エネルギーによって、ヒータを用いることなく、例えば、放射冷却などにより凸面鏡板の鏡面に生ずる結露を防止できるようになった。【０００５】
【特許文献１】特許第４１５７８６７号公報
【発明の開示】
【発明が解決しようとする課題】
【０００６】  ところが、特許文献１に開示されている防曇機能を備えたミラーは、気象条件によっては、凸面鏡板の鏡面の周辺など一部に結露を生ずることが確認され、防曇機能が不十分であった。【０００７】  本発明は、この問題を解決し、種々の気象条件によっても安定した防曇機能を発揮させることができる廉価な防曇機能を備えたミラーを提供することを目的とする。
【課題を解決するための手段】
【０００８】  上記課題を解決するため、本発明による防曇機能を備えたミラーは、金属製の凸面鏡板と、この凸面鏡板を取り付ける取付板と、前記凸面鏡板の背面と前記取付板の間の空間に配設される水を封入した可撓性を有する区画袋と、この区画袋と前記凸面鏡板の間に配設された第１のエアーマットと、前記区画袋と前記取付板の間に配設された第２のエアーマットとを備え、前記区画袋は複数の袋に分割されて上下方向に配列されると共に、各袋には各々水が封入されたミラーであって、上下方向に配列された複数の前記袋は、前記凸面鏡板の上下方向の中央に位置する袋に封入する水の量を多くして最も厚くなるように形成し、この中央位置の袋から上端及び下端方向に向かう各袋に封入する水の量を漸次少なくして漸次薄くなるように形成し、これら複数の前記袋の配列によって形成される上下方向の曲率を前記凸面鏡板の曲率に近似させたことを要旨としている。【０００９】  また、本発明のミラーは、上下方向に配列される複数の各袋に封入される水の量を、当該各袋に封入可能な最大水量の半分以下とすることが望ましい。【００１０】  さらに、本発明のミラーは、前記区画袋と前記取付板の間に、前記区画袋によって形成される外形輪郭の上下方向の幅よりも左右方向の幅を小さくした断熱材を配置して、前記区画袋に封入された中央位置の水を左右方向に移動させることが望ましい。
【発明の効果】
【００１１】  本発明の防曇機能を備えたミラーによれば、凸面鏡板の上下方向に配列した各袋に封入する水の量を、凸面鏡板の上下方向の中央に位置する袋から上端及び下端方向に向かう袋毎に漸次少なくすることにより、複数の袋の配列によって形成される上下方向の曲率を凸面鏡板の曲率に近似させることができる。この結果、凸面鏡板の背面に区画袋をほぼ均一に当接することから、区画袋に封入した水の熱エネルギーを凸面鏡板の全面に均等に与えることが可能となり、種々の気象条件によっても安定した防曇機能を発揮させることが可能となる。【００１２】  また、本発明では、区画袋を上下方向に分割した各袋に封入されている水の量が、各袋に封入可能な最大水量の半分以下であるので、水が凍ることによる体積膨張により袋が破裂してしまうことを防ぐことができる。【００１３】  さらに、区画袋と取付板の間に、前記区画袋によって形成される外形輪郭の上下方向の幅よりも左右方向の幅を小さくした断熱材を配置することにより、区画袋に封入された中央位置の水を左右方向に移動させることから、凸面鏡板の背面の左右方向についても区画袋をほぼ均一に当接することができるので、区画袋に封入した水の熱エネルギーを凸面鏡板の全面に均等に与えることが可能となる。
【発明を実施するための最良の形態】
【００１４】  本発明による防曇機能を備えたミラーは、金属製の凸面鏡板と、この凸面鏡板を取り付ける取付板と、前記凸面鏡板の背面と前記取付板の間の空間に配設される水を封入した可撓性を有する区画袋と、この区画袋と前記凸面鏡板の間に配設された第１のエアーマットと、前記区画袋と前記取付板の間に配設された第２のエアーマットとを少なくとも備えている。前記区画袋は、複数の袋に分割されて上下方向に配列されると共に、各袋には各々水が封入されている。そして、上下方向に配列された複数の前記袋は、前記凸面鏡板の上下方向の中央に位置する袋に封入する水の量を多くして最も厚くなるように形成し、この中央位置の袋から上端及び下端方向に向かう各袋に封入する水の量を漸次少なくして漸次薄くなるように形成している。この構成により、複数の前記袋の配列によって形成される上下方向の曲率は、前記凸面鏡板の曲率に近似するようになる。【００１５】  以下、図面に基いて本発明の好適な実施例について説明する。図１は、カーブミラーを示す外観図である。この図に示すように、カーブミラー１のミラー本体部分は、表面２ａに鏡面加工を施したステンレススチール板などの金属製からなる円形の凸面鏡板２と、この凸面鏡板２が取り付けられている円盤状の取付板３とを有している。取付板３は角度調整取付具４を介して地中に下端部分が埋設されている支柱５の上端部分に取り付けられている。また、凸面鏡板２の上端部分にはフード６が取り付けられている。【００１６】  図２は、ミラー本体部分の縦断面図である。この図に示すように、凸面鏡板２の背面と取付板３の間には空間が形成されており、この空間に、水８が封入されているナイロンやポリエチレンなどの可撓性を有するプラスチック製の区画袋７が配設されている。区画袋７は、凸面鏡板２と区画袋７の間の中間層に配設された第１のエアーマット１０、および区画袋７と取付板３の間の中間層に配設された第２のエアーマット１１によって、凸面鏡板２の背面２１に沿った所定厚さの面状態に保持されている。【００１７】  第１のエアーマット１０は、好ましくは、ポリエチレンの膜で空気を包み込んだ多数の気泡をシート状に形成したポリエチレン気泡シートが用いられる。なお、第１のエアーマット１０としては、上記気泡シートの他に、内部に無数の気泡を有するポリエチレン発泡シート、或いは、発泡スチロールや発泡ウレタンを用いても良い。この第１のエアーマット１０によって、凸面鏡板２と区画袋７の間には実質的に空気層が形成される。また、第２のエアーマット１１は、好ましくは、内部に無数の気泡を有するポリエチレン発泡シートが用いられる。この第２のエアーマット１１としては、ポリエチレン気泡シートや発泡スチロールや発泡ウレタンなどを用いても良い。これらの第１のエアーマット１０、第２のエアーマット１１は、区画袋７に封入されている水８から無駄な放熱が取付板３の側に行われることを防止する断熱層としての役割を果たす他、水８が凍ることにより体積膨張したときに、凸面鏡板２及び取付板３の変形を防止する緩衝層としての役割も果たしている。【００１８】  次に、図３（ａ）（ｂ）はそれぞれ、水８が封入された区画袋７を示す正面図、そのＡ−Ａ線で��断した部分を示す概略断面図である。これらの図に示すように、区画袋７は、複数枚の袋７１Ａ、７２Ａ、７３Ａ、７４Ａ、７５Ａに分割されて上下方向に配列することにより、凸面鏡板２（取付板３）と略同径の円形に形成される。そして、これらの袋７１Ａ〜７５Ａには各々水８が封入されている。【００１９】  さらに、袋７１Ａ〜７５Ａに封入する水８の量は、凸面鏡板２の上下方向の中央に位置する袋７３Ａが最も多く、次に袋７３Ａの上端及び下端方向に隣接する袋７２Ａおよび７４Ａに封入する水８の量が袋７３Ａよりも少なく、さらに、上端及び下端に位置する袋７１Ａ及び袋７５Ａに封入する水８の量が最も少なくなるようにしている。すなわち、中央位置の袋７３Ａから上端及び下端方向に向かう各袋に封入する水の量を漸次少なくなるように形成している。【００２０】  なお、各区画袋７１Ａ〜７５Ａに封入する水８の量を異ならせても、各袋７１Ａ〜７５Ａに封入可能な最大水量の半分以下となっている。また、水８には、雑菌などの繁殖を防ぐために、例えば、塩素系の殺菌剤を添加することが望ましい。【００２１】  このように封入する水８の量を異ならせることにより、中央に位置する袋７３Ａの厚さが最も厚く、これよりも隣接する袋７２Ａおよび７４Ａが薄く、上端及び下端に位置する袋７１Ａ及び袋７５Ａが最も薄くなる。そして、袋７１Ａ〜７５Ａを取付板３或いは平坦な面に載置した自由状態においては、図３（ｂ）に示すように、複数の袋７１Ａ〜７５Ａの配列によって形成される上下方向の曲率ｒは、凸面鏡板２の曲率に近似するように設定される。なお、袋７１Ａ〜９５Ａは可撓性を有しているので、水８を封入したときに形状が大きく変化する。従って、上下方向の曲率ｒを凸面鏡板２の曲率に必ずしも一致させる必要はなく、また、前述した断熱材１３を配設するときには、断熱材１３の厚さを含めた状態における曲率ｒが凸面鏡板２の曲率に近似するように設定することが望ましい。【００２２】  上述した複数の袋７１Ａ〜７５Ａからなる区画袋７は、図２に示すように凸面鏡板２の背面と取付板３の間に形成された空間に配設される。このとき、区画袋７は、凸面鏡板２と区画袋７の間の第１のエアーマット１０、および、区画袋７と取付板３の間の第２のエアーマット１１によって形状が大きく変化する。ところが、複数の袋７１Ａ〜７５Ａの配列によって形成される上下方向の曲率ｒが、凸面鏡板２の曲率に近似するように設定されているので、上記空間を充満させると共に、凸面鏡板２の背面２１に沿った面状態に保持される。【００２３】  図２に示す状態では、区画袋７の上下方向の曲率ｒを凸面鏡板２の曲率に近似させることにより、凸面鏡板２の背面２１に沿った面状態に保持される。しかしながら、区画袋７は左右方向の厚さがほぼ一定になっていることから、凸面鏡板２の背面２１に沿わない場合がある。このため、第２のエアーマット１１と、区画袋７との間には、図４に示すような断熱材１２が配置されている。断熱材１２は、円形に形成された凸面鏡板２もしくは、区画袋７よって形成される外形輪郭の上下方向の幅よりも左右方向の幅が小さく設定されている。【００２４】  このような断熱材１２を介在配置することにより、少なくとも袋��２Ａ〜７４Ａの中央部分が断熱材１３によって押圧され、図５に示すように、封入された中央位置の水８が左右方向に移動する。この結果、区画袋７を凸面鏡板２の背面２１に沿った面状態に保持させることができる。なお、断熱材１２は、第２のエアーマット１１と取付板３の間に配置させても良い。【００２５】  本発明者等が実験により確認したところ、本発明を適用したカーブミラー１の場合、摂氏マイナス３０度からプラス５５度までの温度範囲において凸面鏡板２の鏡面２ａに結露が見られなかった。また、従来は、気象環境によって、凸面鏡板２の鏡面２ａの周縁などの一部に若干の結露があったが、本発明を適用した場合は、結露が見られなかった。これは、水８を封入した区画袋７が、凸面鏡板２の背面２１に沿った面状態に確実に保持されているものと推察される。従って、ヒータおよび当該ヒータに電気を供給するためのソーラーシステムなどを設けることなく、十分な防曇機能を備えた廉価なカーブミラーを実現できる。【００２６】  このように、本発明を適用した場合における防曇機能について検討すると、昼間の温度上昇により凸面鏡板２が加熱されて、その熱エネルギーは区画袋７に封入されている水８に吸収、蓄熱される。水８に蓄熱された熱エネルギーが、夜間から朝方の気温低下に伴って徐々に放熱され、凸面鏡板２を背面側から加熱して鏡面２ａを温め、鏡面２ａに結露が発生することを防止する。また、凸面鏡板２と区画袋７に封入された水８の間には所定厚さの空気層が形成されている。この空気層の存在により、水８に蓄熱された熱エネルギーが凸面鏡板２に対して直接、放出されてしまうことを防止することができるので、凸面鏡板２に対する放熱を安定して行うことができる。【００２７】  一方、カーブミラー１においては、水８が区画袋７に封入されているので、放射冷却などにより冷え込みの強い日には、水８が凍ってしまうことがある。しかし、区画袋７に封入されている水８の量は、封入可能な最大水量の半分以下としてことによって、水８が凍ることによる体積膨張によって区画袋７が破裂することが未然に防止でき、しかも、区画袋７内の氷は小さいので、外気温の上昇に伴って速やかに融ける。【００２８】  以上、本発明を実施例に基づき具体的に説明したが、本発明は上記実施例に限定されるものではなく、その要旨を逸脱しない範囲で種々変形可能であることは言うまでもない。例えば、上述した実施例においては、ミラーとして円形の凸面鏡板を用いた例を説明したが、四角形の凸面鏡板を用いたミラーであっても同様に適用可能である。また、区画袋の分割数についても、凸面鏡板の大きさによって例えば３分割から２０分割に分割しても良い。さらに、凸面鏡板及び取付板の形状や固定手段については、周知の適宜の方法を採用しても良い。
【産業上の利用可能性】
【００２９】  本発明は、カーブミラー以外の屋外あるいは屋内に設置されるミラーにも同様に適用可能である。また、自動車やオートバイなどのバックミラーなどにも適用可能である。
【図面の簡単な説明】
【００３０】
【図１】本発明を適用したカーブミラーを示す外観図である。
【図２】図１に示したカーブミラーのミラー本体部分の縦断面図である。
【図３】（ａ）（ｂ）はそれぞれ、水が封入された区画袋を示す正面図、そのＡ−Ａ線で切断した部分を示す概略断面図である。
【図４】断熱材を配置した状態を示すミラー本体部分の裏面図である。
【図５】図４のＢ−Ｂ線で切断した部分を示す概略断面図である。
【符号の説明】
【００３１】１    カーブミラー
２    凸面鏡板
２１  鏡板の背面
２ａ  鏡面
３    取付板
７    区画袋
７１Ａ、７２Ａ、７３Ａ、７４Ａ、７５Ａ  袋
１０  第１のエアーマット
１１  第２のエアーマット
１２  断熱材
【図１】
2012144961.tif 000003
【図２】
2012144961.tif 000004
【図３】
2012144961.tif 000005
【図４】
2012144961.tif 000006
【図５】
2012144961.tif 000007